(57)【特許請求の範囲】
【請求項１】
ステム上部と嵌合可能なステム下部ならびに、当該ステム下部との間で下流弁作用を呈する吐出弁および、上流弁としての吸込弁を内部に配設して、当該吸込弁から当該吐出弁までの内部空間域に次回放出対象内容物が収容され、かつ、容器本体の開口首部への取付け部分としての鍔状部を備えたハウジングと、
前記開口首部に螺合することにより、前記ハウジングを、前記鍔状部が当該開口首部に挟みこまれた状態で前記容器本体に固定するためのネジキャップと、
前記内部空間域からその下流側に続き、前記ステム上部を前記ステム下部に嵌合させる際の当該ステム上部の入口部として作用する上方開口部を着脱可能な形で塞ぐための蓋部材と、からなる、
ことを特徴とするポンプ式製品用のポンプ構造ユニット。
【請求項２】
前記ハウジングは、
前記ステム下部を付勢して前記吐出弁を閉状態に設定するための弾性部材を前記内部に有している、
ことを特徴とする請求項１記載のポンプ式製品用のポンプ構造ユニット。
【請求項３】
前記ステム上部を前記ステム下部に嵌合させる際に当該ステム上部の外周面と対向するポンプ構造ユニットの上端側内周面および、前記ステム上部の内周面と嵌合する前記ステム下部の上端側外周面は、
それぞれ同一径態様で長手方向に連続するストレート形状周部分を有している、
ことを特徴とする請求項１または２記載のポンプ式製品用のポンプ構造ユニット。
【請求項４】
容器本体に放出対象内容物を収容し、
請求項１乃至３のいずれかに記載のポンプ構造ユニットの前記ネジキャップが前記容器本体に固定され、かつ、当該ポンプ構造ユニットの前記蓋部材が前記上方開口部に取り付けられている、
ことを特徴とするポンプ式製品。
【請求項５】
請求項１乃至３のいずれかに記載のポンプ構造ユニットの前記蓋部材を前記上方開口部から取り外した状態における、前記ステム下部との嵌合状態で使用される合成樹脂製のステム上部と、
前記ステム上部と一体の操作部と、からなる、
ことを特徴とするポンプ式製品用の操作部ユニット。
【請求項６】
前記ステム上部の外周面および、前記ステム下部の上端側外周面と嵌合する当該ステム上部の内周面は、
それぞれ同一径態様で長手方向に連続するストレート形状周部分を有している、
ことを特徴とする請求項５記載のポンプ式製品用の操作部ユニット。
【発明の詳細な説明】
【技術分野】
【０００１】
本発明は、ステム下部，吐出弁（下流弁）および吸込弁（上流弁）を内部に配設して、容器本体の開口首部へ取り付けられるハウジングと、容器本体へのハウジング固定用のネジキャップと、ステム下部上端側の開口部の蓋部材などからなるポンプ式製品用のポンプ構造ユニット、また、ステム下部と嵌合可能なステム上部および内容物放出用の操作部が一体成形されたポンプ式製品用の操作部ユニットなどに関する。
【背景技術】
【０００２】
容器本体に取り付けられて次回放出対象の内容物を収容するハウジングの内部に、吸込弁，吐出弁および、当該吐出弁との弁作用を呈しかつ内容物通路域として作用するステムなどをいわば配設した形のポンプ式製品は、広く使用されている。
【０００３】
ステムは、スパウトなどの操作部に取り付けられて吐出弁の上内側逆スカート部とのシール作用を呈するステム上部と、当該ステム上部に嵌合して吐出弁との弁作用を呈するステム下部とからなっている。
【０００４】
本件出願人は、このようなポンプ式製品の応用例として、内容物放出操作後のステム復帰時におけるハウジング内部の内容物収容空間域の減圧比を高めてそこへの内容物吸上力を大きくし、かつ、内容物流入作動時以外では吸込弁を確実に閉状態に設定可能なポンプ機構を提案し、権利化している（特許文献１参照）。
【先行技術文献】
【特許文献】
【０００５】
【特許文献１】特許第４８７３００６号公報
【発明の開示】
【発明が解決しようとする課題】
【０００６】
本発明は、このように吸込弁，吐出弁などとともにハウジング内部に配設されるステムが、当該吐出弁の作動空間域確保などのため、もともとステム上部およびステム下部といったいわば二ピース形状として個々に成形されることに着目したものである。
【０００７】
すなわち、ポンプ式製品を概略、
・内容物を収容する容器本体
・ハウジング，ステム下部，吐出弁，吸込弁，ハウジング固定用のネジキャップなどからなり、容器本体に取り付けられるポンプ構造ユニット
・ステム上部と操作部（スパウト）からなり、ポンプ構造ユニットのステム下部に取り付けられる操作部ユニット
に大別している。
【０００８】
そしてポンプ構造ユニットのステム下部の上方開口部に着脱自在な形で取り付けられる蓋部材を新たに設けている。
【０００９】
そのため、内容物収容済みの容器本体に、この蓋部材で上方開口部を閉じた状態のポンプ構造ユニットを取り付ければ、またはポンプ構造ユニットを取り付けてからこの蓋部材で上方開口部を閉じれば、容器側ユニット（容器本体＋ポンプ構造ユニット）の中に、内容物がいわば完全シール状態で保持される。
【００１０】
この容器側ユニットは操作部ユニットから独立した別ユニットであって、それぞれのユニットは個々に管理されえる。
【００１１】
また、ステム下部にステム上部を嵌合させる際にポンプ構造ユニットと操作部ユニットとの間で生じる対向対象部分および嵌合対象部分を、凹状部や凸状部が形成されていないストレート形状（同一径態様で長手方向に連続するストレート形状周部分）に設定している
【００１２】
本発明ではこのように、
(11)ポンプ式製品の製造，出荷や商品展示などの各段階において、操作部ユニット，ポンプ構造ユニット，容器側ユニットの単位で管理できる、
(12)内容物収容済みポンプ式製品の管理対象としてのいわば身の丈を容器側ユニットの高さまで小さくする、
(13)内容物収容済みの容器側ユニットの内容物漏れを阻止する、
(14)利用者などがポンプ構造ユニットのステム下部に操作部ユニットのステム上部を嵌合させる際の作業性の簡単化を図る、
ことなどを目的とする。
【課題を解決するための手段】
【００１３】
本発明は、以上の課題を次のようにして解決する。
（１）ステム上部（例えば後述のステム上部６ａ）と嵌合可能なステム下部（例えば後述のステム下部６ｇ）ならびに、当該ステム下部との間で下流弁作用を呈する吐出弁（例えば後述の吐出弁８）および、上流弁としての吸込弁（例えば後述の吸込弁５）を内部に配設して、当該吸込弁から当該吐出弁までの内部空間域に次回放出対象内容物が収容され、かつ、容器本体（例えば後述の容器本体１）の開口首部（例えば後述の開口首部１ａ）への取付け部分としての鍔状部（例えば後述の環鍔状部２ａ）を備えたハウジング（例えば後述のハウジング２）と、
前記開口首部に螺合することにより、前記ハウジングを、前記鍔状部が当該開口首部に挟みこまれた状態で前記容器本体に固定するためのネジキャップ（例えば後述のネジキャップ３）と、
前記内部空間域からその下流側に続き、前記ステム上部を前記ステム下部に嵌合させる際の当該ステム上部の入口部として作用する上方開口部を着脱可能な形で塞ぐための蓋部材（例えば後述の蓋部材４）と、からなる、
ポンプ式製品用のポンプ構造ユニットを用いる。
（２）上記（１）において、
前記ハウジングが、
前記ステム下部を付勢して前記吐出弁を閉状態に設定するための弾性部材（例えば後述のコイルスプリング７）を前記内部に有している、
ポンプ式製品用のポンプ構造ユニットを用いる。
（３）上記（１），（２）において、
前記ステム上部を前記ステム下部に嵌合させる際に当接ステム上部の外周面と対向するポンプ構造ユニットの上端側内周面（例えば後述の環状起立部３ｃ，環状垂下部３ｄそれぞれの内周面，）および、前記ステム上部の内周面（例えば後述の低凸状部分６ｄなどの内周面）と嵌合する前記ステム下部の上端側外周面（例えば後述の上側外周面６ｈ）が、
それぞれ同一径態様で長手方向（例えば図示上下方向）に連続するストレート形状周部分を有している、
ポンプ式製品用のポンプ構造ユニットを用いる。
（４）容器本体に放出対象内容物を収容し、
上記（１）〜（３）のいずれかに記載のポンプ構造ユニットの前記ネジキャップが前記容器本体に固定され、かつ、当該ポンプ構造ユニットの前記蓋部材が前記上方開口部に取り付けられている、
ポンプ式製品を用いる。
（５）上記（１）〜（３）のいずれかに記載のポンプ構造ユニットの前記蓋部材を前記上方開口部から取り外した状態における、前記ステム下部との嵌合状態で使用される合成樹脂製のステム上部（例えば後述のステム上部６ａ）と、
前記ステム上部と一体の操作部（例えば後述のスパウト９）と、からなる、
ポンプ式製品用の操作部ユニットを用いる。
（６）上記（５）において、
前記ステム上部の外周面（例えば後述のステム上部外周面６ｂ）および、前記ステム下部の上端側外周面（例えば後述の上側外周面６ｈ）と嵌合する当該ステム上部の内周面（例えば後述の嵌合作用面６ｍ）が、
それぞれ同一径態様で長手方向（例えば図示上下方向）に連続するストレート形状周部分を有している、
ポンプ式製品用の操作部ユニットを用いる。
【００１４】
本発明は、以上の構成からなるポンプ式製品用のポンプ構造ユニット，このポンプ構造ユニットを用いたポンプ式製品および、ポンプ式製品用の操作部ユニットを対象としている。
【発明の効果】
【００１５】
本発明は以上の課題解決手段により、
(21)ポンプ式製品の製造，出荷や商品展示などの各段階において、操作部ユニット，ポンプ構造ユニットおよび容器側ユニットの単位で管理する、
(22)内容物収容済みポンプ式製品の管理対象としての高さを小さくする、
(23)容器側ユニットの内容物漏れを阻止する、
(24)ステム下部とステム上部との嵌合作業の簡単化を図る、
などのことができる。
【図面の簡単な説明】
【００１６】
【図１】蓋部材をネジキャップに取り付けた状態のポンプ構造ユニットおよび、これとは独立した形の操作部ユニット（スパウトユニット）を個々に示す説明図である。
【図２】蓋部材をネジキャップから取り外した状態のポンプ構造ユニットに、スパウトユニットを取り付けたポンプ式製品の、静止モードを示す説明図である。
【図３】図２のポンプ式製品の作動モード（内容物放出状態）を示す説明図である。
【発明を実施するための形態】
【００１７】
図１〜図３に基づいて本発明の実施形態を説明する。
【００１８】
以上の図で用いるアルファベット付き参照番号の構成要素（例えば開口首部１ａ）は原則として、当該参照番号の数字部分の構成要素（例えば容器本体１）の一部であることを示している。
【００１９】
図１〜図３において、
１は周知のポンプ作用により外部空間域に放出される内容物を収容した容器本体，
１ａは当該容器本体の開口首部，
２は次回放出対象の内容物を収容する筒状のハウジング，
２ａは当該ハウジングの上端側に形成された環鍔状部，
２ｂは環鍔状部２ａの下方のハウジング周面に形成されて、ポンプ式製品がその作動モード終了後の静止モードへの復帰時に、容器本体１の内部へその減圧防止用の外気を供給するための孔部，
２ｃは当該ハウジングの下端側に形成された小径筒状部，
２ｄは小径筒状部２ｃの上端内側部分に下内向き態様で形成された環テーパ状部（後述の吸込弁５の受け部），
２ｅは環テーパ状部２ｄの上方のハウジング内周面部分に形成された環状段部，
をそれぞれ示している。
【００２０】
また、
３は容器本体１の開口首部１ａと螺合して、ハウジング２を当該開口首部に固定するための筒状のネジキャップ，
３ａは開口首部１ａの外周面と螺合する内周面部分を備えた外側筒状部，
３ｂは外側筒状部３ａの内周面上端側に形成されて、ハウジング２の環鍔状部２ａを嵌合保持するための環凸状部，
３ｃは当該ネジキャップの天面中央部分に上向き態様で形成されて、ネジ結合用の外周面を備えるともに、同一径態様で長手方向に連続するストレート形状周部分（上下方向内周面）を備えた環状起立部，
３ｄは当該ネジキャップの天面中央部分に下向き態様で形成されて、ハウジング嵌合用の外周面を備えるとともに、環状起立部３ｃの内周面から同一径態様で長手方向に連続するストレート形状周部分（上下方向内周面）を備えた環状垂下部（後述の吐出弁８の最上位置設定部），
をそれぞれ示している。
【００２１】
また、
４は後述のステム６（ステム上部６ａ＋ステム下部６ｇ）の分離状態（図１参照）において、ネジキャップ３の環状起立部３ｃの外周面と螺合して当該環状起立部の開口部分全体を塞ぐ、すなわち当該環状起立部から容器本体１までの空間域全体をいわば閉空間域に設定するための蓋部材，
４ａは環状起立部３ｃの外周面と螺合する内周面部分を備えた外側垂下筒状部，
４ｂは環状起立部３ｃの内周面と当接する外周面部分を備えた内側垂下筒状部，
５はハウジング２の環テーパ状部２ｄに接離可能（上下動可能）な形で載置された吸込弁（ボール弁），
をそれぞれ示している。
【００２２】
また、
６はその下側部分がハウジング２の内部に配設されて内容物放出用の通路部を備えた鞘状のステム（ステム上部６ａ＋ステム下部６ｇ），
６ａは当該ステムの上側を構成する筒状のステム上部，
６ｂは同一径態様で上下方向に連続するストレート形状のステム上部外周面，
６ｃはステム上部６ａの上側内周面（小径部分）の周方向に対し飛び飛びでそれぞれが上下に連続する態様で形成されて、ステム下部６ｇの上端側部分と嵌合し、かつ、内容物通過用溝状部を設定するための計四個の上下方向の凸状片部，
６ｄは凸状片部６ｃそれぞれの下端側部分であって、ステム下部６ｇの上端側部分と嵌合する後述の嵌合作用面６ｍを備えた低凸状部分，
６ｅは低凸状部分６ｄの上端から内側方向に連続形成されてステム下部６ｇの上端部分と当接する段部，
６ｆはステム上部６ａの上側内周面（凸状片部６ｃの基部に相当する内周面）よりも大径であって、低凸状部分６ｄの下方に続く当該ステム上部の下端側内周面，
６ｇはステム上部６ａの低凸状部分６ｄと嵌合して一体化することにより本来のステム形状に設定されるステム下部，
６ｈは低凸状部分６ｄの嵌合相手であって、同一径態様で上端部分から下方向に連続するストレート形状の、ステム下部６ｇの上側外周面，
６ｊはステム下部６ｇの下側外周面に形成された環凹状部，
６ｋは環凹状部６ｊのいわば下方裏側に形成された下向きの環状段部，
６ｍはステム上部６ａの低凸状部分６ｄに形成された上下方向の嵌合作用面（同一径態様で上下方向に連続するストレート形状周部分），
をそれぞれ示している。
【００２３】
また、
７はハウジング２の環状段部２ｅとステム下部６ｇの環状段部６ｋとの間に配設されてステム６を上方向に付勢するコイルスプリング，
８はハウジング２の内周面に密接する形でステム６の外側に配設された環状の吐出弁，
８ａは当該吐出弁の内下端側であって、ステム下部６ｇの環凹状部６ｊとの間の開閉作用を呈する弁作用部，
８ｂは弁作用部８ａから上方に続く部分であって、ステム上部６ａの下端側内周面６ｆに密接しながら相対的に上下動する上内側逆スカート部，
８ｃはハウジング２の内周面に密接しながら上下動する上外側逆スカート部，
８ｄはハウジング２の内周面に密接しながら上下動する下外側スカート部，
をそれぞれ示している。
【００２４】
また、
９はステム上部６ａと一体成形され、押下げ操作部および内容物通路部として作用するスパウト，
９ａは外部空間域への内容物通路部，
９ｂは内容物通路部９ａの放出口，
９ｃは当該スパウトの押下げ操作面，
１０は容器本体１の開口首部１ａとハウジング２の環鍔状部２ａとの間に設定されて容器本体内容物のシール作用を呈する環状パッキン，
１１はハウジング２の小径筒状部２ｃに取り付けられて、容器本体１からハウジング内部への内容物通路部として作用する吸上げパイプ，
Ａは蓋部材４の取外し，
Ｂはステム上部６ａのステム下部６ｇへの嵌合，
をそれぞれ示している。
【００２５】
ここで、容器本体１，ハウジング２，ネジキャップ３，蓋部材４，ステム６，吐出弁８，スパウト９，吸上げパイプ１１はそれぞれ、ポリプロピレン，ポリエチレン，ポリアセタール，ナイロン，ポリブチレンテレフタレートなどからなるプラスチック製のものである。
【００２６】
また、吸込弁５およびコイルスプリング７は金属製や合成樹脂製のもの、環状パッキン１０はゴム製や合成樹脂製のものである。
【００２７】
上述したように本発明は、ステム６が、スパウト９と直に一体化されるステム上部６ａと、吐出弁８とともに下流弁作用を呈するステム下部６ｇとからなっている、ことに着目したものである。
【００２８】
図示の実施形態の基本的特徴は、
(31)ステム下部６ｇ，吐出弁８，吸込弁５およびコイルスプリング７などを内部に配設したハウジング２と、ネジキャップ３と、環状パッキン１０と、吸上げパイプ１１と、ネジキャップ３の環状起立部３ｃに螺合して取外し自在な蓋部材４と、からなる単一のポンプ構造ユニットを設定し、
(32)このポンプ構造ユニットを容器本体１の開口首部１ａに螺合させた容器側ユニットを設定し、
(33)ステム下部６ｇと嵌合するステム上部６ａおよび、押下げ操作部および内容物通路部として作用するスパウト９が一体成形された単一のスパウトユニットを設定し、
(34)蓋部材４をネジキャップ３から取り外した（図１のＡ参照）後で、スパウトユニットのステム上部６ａをポンプ構造ユニットのステム下部６ｇに嵌合させる（図１のＢ参照）際の、それぞれの対向対象部分（ステム上部外周面６ｂ，環状起立部３ｃの内周面，環状垂下部３ｄの内周面など）および嵌合対象部分（低凸状部分６ｄの嵌合作用面６ｍ，ステム下部６ｇの上側外周面６ｈなど）が、それぞれ同一径態様で長手方向（図示上下方向）に連続するストレート形状周部分からなっている、
ことなどである。
【００２９】
なお、同一径態様で長手方向（図示上下方向）に連続するストレート形状周部分とは、いわば仮想的な単一筒状部の同一径外周面，同一径内周面またはその一部からなる周部分のことである。
【００３０】
ステム上部６ａの低凸状部分６ｄにおける上記周部分には、当該低凸状部分のいわば頂部分といえる図示上下方向の嵌合作用面６ｍが相当する。
【００３１】
上記(31)〜(33)の基本的特徴を有するポンプ式製品は、その製造，出荷や商品展示などの各段階において、容器側ユニット，ポンプ構造ユニットおよびスパウトユニットの単位で個別管理できるといった利点を有している。
【００３２】
特にこの個別管理状況下では、内容物収容済みポンプ式製品の管理対象としてのいわば身の丈を、「ポンプ構造ユニット＋容器本体１」の容器側ユニットの高さまで小さくできる。
【００３３】
また、この内容物収容済みの容器側ユニットのネジキャップ３（環状起立部３ｃ）の開口部を蓋部材４で塞ぐことにより、容器本体１に収容済み内容物の外部漏洩を確実に阻止できる。
【００３４】
上記(34)の基本的特徴を有するポンプ式製品は、利用者などが、その使用段階でネジキャップ３から蓋部材４を取り外し、蓋部材無しの開口部からスパウトユニットを下方に入れてポンプ構造ユニット内部のステム下部６ｇにステム上部６ａを嵌合させる際の、作業性の簡単化を図ることができる。
【００３５】
すなわち、上記(34)の対向対象部分（ステム上部外周面６ｂ，環状起立部３ｃの内周面，環状垂下部３ｄの内周面など）および嵌合対象部分（低凸状部分６ｄの嵌合作用面６ｍ，ステム下部６ｇの上側外周面６ｈなど）に凹状部や凸状部が形成されていないので、スパウトユニットをポンプ構造ユニットの内部に入れていく際のいわば障害要因が略皆無といえる。
【００３６】
図２および図３で示されるポンプ機構の静止モード，作動モードはいずれも周知のポンプ作動状態である。
【００３７】
図２はポンプ機構の静止モード、すなわちステム上部６ａとステム下部６ｇとを一体化して使用可能となったポンプ機構の、スパウト９がまだ押下げられていない状態を示している。
【００３８】
この静止モードでは、
(41)前回の内容物放出操作の終了にともなって、容器本体１の内容物（次回放出対象の内容物）が吸上げパイプ１１および吸込弁５を介してハウジング２の内部空間域に流入済みであり、
(42)吸込弁５は、当該内容物が内部空間域に流入した後、その自重で下動してハウジング２の環テーパ状部２ｄに当接する上流弁閉状態に設定され、
(43)吐出弁８も、その弁作用部８ａがステム下部６ｇの環凹状部６ｊに当接した下流弁閉状態に設定されている。
【００３９】
上記(43)の吐出弁８は、ネジキャップ３の環状垂下部３ｄの下端部分でいわば押さえこまれた状態（当該吐出弁の最上位置）になっている。
【００４０】
図３はポンプ機構の作動モード、すなわちスパウト９が押下げられてステム６が下動する状態を示している。
【００４１】
利用者のスパウト９（操作面９ｃ）に対する押下げ操作により、当該スパウトと一体のステム６がコイルスプリング７に抗する形で下動する。
【００４２】
ステム６の下動にともない、内容物貯留用のハウジング内部空間域の容積（吸込弁５から吐出弁８までの空間域）が小さくなってそこでの収容内容物の圧力が大きくなる。
【００４３】
この圧力増加のため、吐出弁８はステム下部６ｇとの関係で相対的に上昇してその弁作用部８ａと当該ステム下部の環凹状部６ｊとのそれまでの閉状態が開状態へと変化する。なお、吸込弁５は閉状態を維持する。
【００４４】
ステム下部６ｇに対して上昇する吐出弁８は、ステム上部６ａの下端部分に当接し、その後はステム６とともに下方向に移動する。
【００４５】
その結果、ハウジング内部空間域の収容済み内容物は図示矢印で示すように、「環凹状部６ｊと弁作用部８ａとの間の環状開部分−ステム下部６ｇの上側外周面６ｈと吐出弁８の上内側逆スカート部８ｂとの間の環状空間域−ステム上部６ａの凸状片部６ｃ間に設定された上下方向の溝状空間域−ステム上部６ａの内部通路−スパウト９の内容物通路部９ａ−放出口９ｂ」を経て、外部空間域に放出される。
【００４６】
スパウト９の押下げ操作が解除されると、当該スパウトおよびこれと一体のステム６が、コイルスプリング７の弾性作用により上方向に移動する。
【００４７】
このステム６などの上動にともない、
(51)ステム下部６ｇの環凹状部６ｊと吐出弁８の弁作用部８ａとの、それまでの開状態が閉状態へと変化し、
(52)ハウジング内部空間域は、その容積が増加して容器本体１の内部に対し負圧になるので、吸込弁５が上昇してハウジング２の環テーパ状部２ｄから離間し、その結果、容器本体１の収容内容物がこの離間部分からハウジング内部空間域に流入し、
(53)かつ、このハウジング内部空間域への内容物流入に起因する容器本体１の内部の負圧化を防止するため、外気が、ハウジング２の孔部２ｂから容器本体内部に流入する。
【００４８】
これらのハウジング内部空間域への内容物流入ならびに、容器本体内部への外気流入が終了して、図１の静止モードへと復帰する。
【００４９】
本発明が以上の実施形態に限定されないことは勿論であり例えば、
(61)環状起立部３ｃの内周面，環状垂下部３ｄの内周面およびステム上部外周面６ｂの少なくとも一方を、低凸状部分６ｄ（嵌合作用面６ｍ）と同様の形状に設定する、
(62)ステム下部６ｇの上側外周面６ｈを低凸状部分６ｄ（嵌合作用面６ｍ）と同様の形状に設定し、これと嵌合するステム上部６ａの当該低凸状部分の範囲を通常の単一内周面に設定する、
(63)押下げ操作タイプのスパウト９に代えて、傾動タイプ（チルトタイプ）の操作部を用いる、
(64)吸込弁および吐出弁として各種タイプの弁部材を用いる、
ようにしてもよい。
【００５０】
本発明が適用されるポンプ式製品としては、石けん，消毒剤，化粧品，乳液、洗剤，シャンプー，リンス，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，芸用剤，忌避剤（殺虫剤），クリーナー，消臭剤，洗濯のり，潤滑剤などの各種用途のものがある。
【００５１】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５６】
高分子化合物としては、メチルセルロース，ゼラチン，デンプン，カゼイン，ヒドロキシエチルセルロース，キサンタンガム，カルボキシビニルポリマーなどを用いる。
【００５７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂などを用いる。
【００５８】
さらに、上記内容物以外の、懸濁剤，紫外線吸収剤，乳化剤，保湿剤，酸化防止剤、金属イオン封鎖剤なども用いることができる。
【符号の説明】
【００５９】
１：容器本体
１ａ：開口首部
２：ハウジング
２ａ：環鍔状部
２ｂ：孔部
２ｃ：小径筒状部
２ｄ：環テーパ状部
２ｅ：環状段部
【００６０】
３：ネジキャップ
３ａ：外側筒状部
３ｂ：環凸状部
３ｃ：環状起立部
３ｄ：環状垂下部
【００６１】
４：蓋部材
４ａ：外側垂下筒状部
４ｂ：内側垂下筒状部
５：吸込弁
【００６２】
６：ステム（ステム上部６ａ＋ステム下部６ｇ）
６ａ：ステム上部
６ｂ：ステム上部外周面
６ｃ：凸状片部
６ｄ：低凸状部分
６ｅ：段部
６ｇ：下端側内周面
６ｇ：ステム下部
６ｈ：上側外周面，
６ｊ：環凹状部
６ｋ：環状段部
６ｍ：嵌合作用面
【００６３】
７：コイルスプリング
８：吐出弁
８ａ：弁作用部
８ｂ：上内側逆スカート部
８ｃ：上外側逆スカート部
８ｄ：下外側スカート部
【００６４】
９：スパウト，
９ａ：内容物通路部
９ｂ：放出口
９ｃ：押下げ操作面
１０：環状パッキン
１１：吸上げパイプ
Ａ：蓋部材４の取外し
Ｂ：ステム上部６ａのステム下部６ｇへの嵌合取付け
【図１】
0005924483.tif 000002
【図２】
0005924483.tif 000003
【図３】
0005924483.tif 000004